(57)【要約】【課題】バランスの悪い機器に対して同調させ易く、メカに対応してＸ、Ｙ、Ｚ方向に任意の共振周波数を持たせ、減衰の難しい高温時の振動でも大きく減衰することができるダンパーを提供することにある。【解決手段】粘性液体封入ダンパにおいて、ダンパ本体が有するダイアフラムに円筒体を内方に向けて設け、この円筒体内にダンパーピンを嵌挿して、更に円筒体のダイアフラム側を小径部とするか、および／または上記円筒体の先端部を周方向に面取りし小径部とすることにより、このダンパを車載用のホルダーとコンパクトディスクプレーヤーとの間に介在させることで、左右、前後、上下の各方向の共振点を任意に変えることができ、この共振点及び共振倍率を低くすることが出来て、上記の課題であるバランスの悪い機器でも同調させ、常温は当然のこと減衰が難しいといわれる高温時でも振動を大きく減衰することができる。【選択図】      図１
2004301296.tif 000002
【特許請求の範囲】
【請求項１】
密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体のダイアフラム側を小径部としたことを特徴とする、Ｘ，Ｙ，Ｚ３方向の周波数を任意に調整可能とした粘性液体封入ダンパ。
【請求項２】
密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体の先端部を周方向に面取りして小径としたことを特徴とする、Ｘ，Ｙ，Ｚ３方向の周波数を任意に調整可能とした粘性液体封入ダンパー。
【請求項３】
密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体のダイアフラム側を小径部とし、且つ前記円筒体の先端部を周方向に面取りして小径としたことを特徴とする、Ｘ，Ｙ，Ｚ３方向の周波数を任意に調整可能とした粘性液体封入ダンパ。
【発明の詳細な説明】
【０００１】
【発明の属する技術分野】
本発明は、ディスク状記憶媒体利用による車搭載の情報機器などの防振用の粘性液体封入ダンパに関するものであり、より詳しくは、ダンパ本体内のダイアフラムに連接される円筒体の形状を特定のものにすることにより、Ｘ−Ｙ−Ｚ方向の全てにおいて特性を自由に代えることを可能にした振動減衰機能を持たせた粘性液体封入ダンパに関する。
【０００２】
【従来の技術】
車搭載の情報機器などの防振用のダンパａは、一般的に図１０に示すように、ダンパ本体ｂに所定の粘度を有するオイルｃを封入し、ダンパ本体ｂのダイアフラムｄに円筒体ｅを内方に向けて設け、この円筒体ｅにダンパピンｆを嵌挿してなり、このダンパａを、例えば支持物である車体ｇと被支持物である情報機器ｈとの間に介在させて、車体ｇの振動を減衰させ情報機器ｈに伝わりづらくしたものである。この図１０に示すダンパａは、下記に示す公報に記載があるものである。
【０００３】
【特許文献１】特開平６−２９５５７５号公報
特許文献１によれば、更に、ダンパａの円筒体ｅの外側先端部や円筒体ｅの回りに抵抗となる凹部ｉやフィンｊを設け、ダンパピンｆの軸方向の振動に対して、凹部ｉやフィンｊが広がり抵抗となって、振動の減衰の向上に繋がるとしている。
【０００４】
【特許文献２】特開平９−７３７６５号公報
特許文献２に記載されたものは、他の方法にてダンパピンｆの軸方向の振動に対して振動の減衰の向上を図るものである。
すなわち、図１１のダンパａ１のダンパピンｆの先端に拡張部ｋを設け、この拡張部ｋに沿うように、円筒体ｅの内側先端部内に径大部ｌを設けてなり、ダイアフラムｄに連なる円筒体の柔軟性を利用して、円筒体ｅにダンパーピンｆをフィットさせ、ダンパピンｆの軸方向の振動に対して、抜けやスベリがなくなり、振動の減衰の向上並びに組立作業性及び耐久性のアップに繋がるものであるとしている。
【０００５】
【発明が解決しようとする課題】
特許文献１のダンパａは、ダンパピンｆの軸方向の振動に対し、凹部ｉやフィンｊが抵抗となって減衰するものの、Ｘ（左右）方向、Ｙ（前後）方向、Ｚ（上下）方向の共振周波数（ｆ０）が異なり、バランスの悪い情報機器ｈに対して同調がしづらくなる。また、このダンパａは、共振倍率（Ｑ値）が高くなるためオイルｃの粘度を高めることが出来ず、オイルｃの粘度を高くすることにより得られる振動の減衰の向上を図ることが出来ない。
【０００６】
特許文献２のダンパａ１は、ダンパピンｆの軸方向の振動に対し、抜けやスベリがなくなり、それによる振動の減衰効果の低下を防げても、特許文献１の場合と同様に、Ｘ方向、Ｙ方向、Ｚ方向の共振周波数が異なり、バランスの悪い情報機器ｈに対して同調がしづらく、かつ、メ力でのチューニングがオイル粘度の調整のみであるため、メ力の音飛び性能を向上させることができない。また、オイル粘度を高くすれば振動の減衰は向上するが、低周波での大振幅時の音飛びが発生してしまうため適用できない。
【０００７】
そこで、本発明の目的は、Ｘ、Ｙ、Ｚの各方向の共振周波数を、メカに応じて任意に調整が可能であり、の共振周波数及びその共振倍率を低くすることが出来、バランスの悪い機器に対して同調し易く、常温はもちろんのこと、減衰の難しい高温時の振動も大きく減衰することができ、Ｘ、Ｙ、Ｚの共振周波数をチューニングできる粘性液体封入ダンパーを提供することにある。
【０００８】
【課題を解決するための手段】
本発明は、上記目的を達成するために提案されたものであって、下記の構成からなることを特徴とするものである。
すなわち、本発明によれば、密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体のダイアフラム側を小径部としとことを特徴とする、Ｘ，Ｙ，Ｚ３方向の周波数を任意に調整可能とした粘性液体封入ダンパが提供される。
【０００９】
また、本発明によれば、密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体の先端部を周方向に面取りして小径としたことを特徴とする、Ｘ，Ｙ，Ｚ３方向の周波数を任意に調整可能とした粘性液体封入ダンパーが提供される。
【００１０】
また、本発明によれば、密封状態のダンパ本体に所定の粘性液体を封入し、前記ダンパ本体のダイアフラムに円筒体を内方に向けて設け、該円筒体にダンパピンを嵌挿してなり、これを支持物と被支持物との間に介在させて振動を減衰させる粘性液体封入ダンパにおいて、前記円筒体のダイアフラム側を小径部とし、且つ前記円筒体の先端部を周方向に面取りして小径としたことを特徴とする、Ｘ，Ｙ，Ｚ３方向の周波数を任意に調整可能とした粘性液体封入ダンパが提供される。
【００１１】
【発明の実施の形態】
以下に、図面を参照して本発明の実施の形態を説明する。
図１は本発明の実施の形態を示す粘性液体封入ダンパの組立状態の断面図、図２は本発明の実施の形態を示す粘性液体封入ダンパーの断面図、図３は本発明の実施の形態を示す粘性液体封入ダンパを使い情報機器を支持面に取り付けた状態の側面図である。
図面において、粘性液体封入ダンパ１は、密封状態のダンパ本体２に所定の粘度を有する液体３を封入し、ダンパ本体２のダイアフラム４に円筒体５を内方に向けて設け、この円筒体５内にダンパピン６を嵌挿して、更に円筒体５のダイアフラム４側を小径部７としてなり、このダンパ１をホルダー８または支持面と被支持物である情報機器９との間に介在させて振動を減衰させるものである。この例では、支持面と情報機器の間に３点でダンパを介在させている。
【００１２】
前記粘性液体封入ダンパ本体２は、剛性を有するリング体１０の一端に剛性を有するフランジ１１を取り付け、リング体１０の他端に前記ダイアフラム４を取り付けて、密封状態となっている。このダンパ本体２内には所定の粘度を有する液体３、好ましくは、１０万ないし３０万センチストークス（ｃｓｔ）のオイルが封入される。なお、オイルの粘度範囲はこれに限られるものではなく、１０万以下あるいは３０万以上のものも使用することができる。このダイアフラム４及び円筒体５は、全体として柔軟性に富む素材、例えばエラストマーなどにより構成され、更にダイアフラム４に段差１２を有している。
【００１３】
ダイアフラム４の中心には前記円筒体５がダンパ本体２の内方、すなわち、フランジ１１側に向けて設けられているから、この円筒体５は外部からはダイアフラム４の中心に円形穴１３が設けられている状態となっている。この円形穴１３の底は拡径部１３ａとなり、ダンパピン６の先端の膨出部６ａと相俟って円形穴１３からダンパピン６が抜けにくくなっている。この円筒体５は、円形穴１３の拡径部１３ａを避けるかたちで、ダイアフラム４との付け根部分から小径部７が形成され、テーパー部１４を経て大径部１５が形成されている。この小径部７があることにより、後に実施例１ないし４で実証するように、Ｘ（左右）方向、Ｙ（前後）方向、Ｚ（上下）方向の共振周波数を調整することが可能であり、寸法φＢ，Ｃ，Ｄ，Ｅを変えることにより、Ｘ、Ｙ、Ｚ方向の特性を任意に変えることができ、しかも低いものが得やすくなり、メカバランスの悪い情報機器９であっても同調がし易く、また、共振倍率（Ｑ値）を低くできるため、液体３の粘度を高めることが出来、液体３の粘度を高くすることにより得られる振動の減衰の向上を図ることが出来て、更に高粘度の液体３を採用できることで、高温時の振動の減衰も高いレベルで維持出来る。
【００１４】
前記ダンパピン６は、既に述べたとおり、その先端には膨出部６ａがあり、前記ダンパ本体２の円形穴１３から抜けずづらく、その基端にはフランジ６ｂがあって、前記情報機器９に容易に取り付けられるようになっている。そして、情報機器９は、図３に示すように、車などに取り付けられるホルダー８にダンパ１を介在させて取り付けられる。すなわち、情報機器９にダンパ１のダンパピン６のフランジ６ｂを取り付け、ダンパ本体２のフランジ１１をホルダー８に取り付けることにより行う。メカに付設されるダンパの数は特に限られるものではないが、通常、３個または４個が用いられ、一般には、図３及び図７に示したように、メカの安定性の面から３個が用いられている。
【００１５】
図４は本発明の他の実施の形態を示すもので、このダンパ１ａと図１、２の実施形態との相違点は、円筒体５に小径部７がなく、円筒体５の先端部を周方向に面取りして小径１６として、図１、２の実施形態とほぼ同様の効果を出している点にある。その他の構成、作用は図１、２の実施形態と同様なので図面に符号を付して、その説明を省略する。
【００１６】
図５は本発明の他の実施の形態を示すもので、このダンパ１ｂと図１、２の実施形態との相違点は、円筒体５に小径部７があり、その上に、図４と同様に円筒体５の先端部を周方向に面取りして小径１６としている点にある。このダンパも、寸法φＡ，φＢ，φＣ，Ｄ，Ｅ，Ｆ，Ｇを変えることにより、Ｘ、Ｙ、Ｚ方向の共振周波数を自在に変え、それによってメカの特性を向上させることができる。その他の構成、作用は図１、２及び図４の実施形態と同様なので図面に符号を付して、その説明を省略する。
【００１７】
図６は本発明の他の実施の形態を示すもので、このダンパ１ｃと図５の実施形態との相違点は、小径部７がダイアフラム４との付け根部分からではなく、円筒体５の中間部に小径部７ａがあることで、図５の実施形態とほぼ同様の効果を出している点にある。その他の構成、作用は図５の実施形態と同様なので図面に符号を付して、その説明を省略する。
【００１８】
次に、本発明の効果を、実施例１ないし４により実証する。
〈実施例１〉
ダンパの形状は図４に示したものであり、その具体的な寸法は表１に示すとおりであり、オイルは３０万センチストークス（ｃｓｔ）のものを使用した。このダンパ１を図７に示したように、支持面とコンパクトディスクプレーヤー２１との間に３点で介在させ、Ｘ方向、Ｙ方向、Ｚ方向の共振周波数（ｆ０）及びＸ方向、Ｙ方向、Ｚ方向の共振周波数の共振倍率（Ｑ）を測定した。
【００１９】
〈実施例２〉
ダンパの形状は図５に示したものであり、その具体的な寸法は表１に示すとおりであり、オイルは実施例１と同様のものを使用した。このダンパーにつき、実施例１と同様にして共振周波数（ｆ０）及びその共振倍率（Ｑ）を測定した。
【００２０】
〈実施例３〉
ダンパの形状は図６に示したものであり、その具体的な寸法は表１に示すとおりであり、オイルは実施例１と同様のものを使用した。このダンパーにつき、実施例１と同様にして共振周波数（ｆ０）及びその共振倍率（Ｑ）を測定した。
【００２１】
〈実施例４〉
ダンパの形状は図１に示したものであり、その具体的な寸法は表１に示すとおりであり、オイルは実施例１と同様のものを使用した。このダンパにつき、実施例１と同様にして共振周波数（ｆ０）及びその共振倍率（Ｑ）を測定した。
【００２２】
〈比較例１〉
ダンパ１ｄの形状は図８に示したものであり、その具体的な寸法は表１に示すように、ダンパ軸寸法によりＸ、Ｙ、Ｚに変化をつけている。オイルは３０万センチストークス（ｃｓｔ）のものを使用した。このダンパにつき、実施例１と同様にして共振周波数（ｆｏ）及びその共振倍率（Ｑ）を測定した。
【００２３】
〈比較例２〉
ダンパ１ｄの形状は図８に示したものであり、その具体的な寸法は表１に示すとおりであり、オイルは実施例１と同様のものを使用した。このダンパにつき、実施例１と同様にして共振周波数（ｆ０）及びその共振倍率（Ｑ）を測定した。
【００２４】
〈比較例３〉
ダンパ１ｅの形状は図９に示したものであり、その具体的な寸法は表１に示すとおりであり、オイルは３０万センチストークス（ｃｓｔ）のものを使用した。このダンパーにつき、実施例１と同様にして共振周波数（ｆ０）及びその共振倍率（Ｑ）を測定した。
以上の測定結果を表２に示した。
【００２５】
【表１】
2004301296.tif 000003
【００２６】
【表２】
2004301296.tif 000004
【００２７】
表２の結果からも明らかなように、例えば、実施例１のダンパは、Ｘ、Ｙ、Ｚ方向の共振周波数が、いずれも１５．０Ｈｚを示しており、これを搭載したメカは安定であるのに対して、比較例１のダンパは、Ｘ、Ｙ、Ｚ方向の共振周波数が、１４．０，１５．０，１２．０Ｈｚとばらついており、これを搭載したメカの動きが不安定であることが分かる。
従来のダンパでは、メカのバランスによって、比較例１のように、Ｘ、Ｙ、Ｚ方向の共振周波数が異なってしまい、バランスがうまく取れないケースがあったが、本発明によって、液体封入ダンパの円筒体のダイアフラム側および／または円筒体の先端部を周方向に面取りして小径とすることによって、その形状寸法の変化によってメカの特性を向上させることができ、最適なチューニングが可能となったことがわかる。
したがって、本願発明に準拠している実施例１ないし４は、バランスの悪い機器に対して同調し易く、常温時はもちろんのこと、減衰の難しい高温時の振動も大きく減衰することが可能となることが実証された。
【００２８】
以上、本発明の実施形態を説明したが、具体的な構成はこれに限定されず、例えば、防振する情報機器の状況に合わせて円筒体の形状の寸法を変え、共振周波数及びその共振倍率を測定して、目的とする情報機器に合わせたダンパーとすることもできる。
【００２９】
【発明の効果】
本発明によれば、ダンパ本体内の円筒体のダイアフラム側を小径部とすること、および／または円筒体の先端部を周方向に面取りして小径とすることにより、その寸法の変化でＸ、Ｙ、Ｚの各方向の共振周波数を任意に変えることができ、且つ低くでき、更にその共振倍率も低くでき、高粘度の液体をダンパ本体内に封入可能となる。したがって、バランスの悪い機器でも同調点を見い出し易く、更に低温時から高温時の振動を安定して減衰出来、加えて高粘度の液体を封入可能であるから減衰の難しい高温時の振動も減衰出来る効果がある。
【図面の簡単な説明】
【図１】本発明の実施の形態を示す粘性液体封入ダンパの組立状態の断面図である。
【図２】本発明の実施の形態を示す粘性液体封入ダンパの断面図である。
【図３】本発明の実施の形態を示す粘性液体封入ダンパを使い情報機器をホルダーに取り付けた状態の側面図である。
【図４】本発明の他の実施の形態を示す粘性液体封入ダンパの断面図である。
【図５】本発明の他の実施の形態を示す粘性液体封入ダンパの断面図である。
【図６】本発明の他の実施の形態を示す粘性液体封入ダンパの断面図である。
【図７】本発明の実施の形態を示す粘性液体封入ダンパの性能測定の状況の斜視図である。
【図８】本発明の実施の形態を示す粘性液体封入ダンパとの性能対比をする比較例の断面図である。
【図９】本発明の実施の形態を示す粘性液体封入ダンパとの性能対比をする他の比較例の断面図である。
【図１０】従来例を示す断面図である。
【図１１】他の従来例を示す断面図である。
【符号の説明】
１，１ａ，１ｂ，１ｃ
１ｄ，１ｅ，ａ，ａ１・・・ダンパ
２，ｂ  ・・・・・・・・・ダンパー本体
３      ・・・・・・・・・液体
４，ｄ  ・・・・・・・・・ダイアフラム
５，ｅ  ・・・・・・・・・円筒体
６，ｆ  ・・・・・・・・・ダンパーピン
６ａ    ・・・・・・・・・膨出部
７，７ａ・・・・・・・・・小径部
８，２０・・・・・・・・・ホルダー
９，ｈ  ・・・・・・・・・情報機器
１０    ・・・・・・・・・リング体
１１，６ｂ・・・・・・・・フランジ
１２    ・・・・・・・・・段差
１３    ・・・・・・・・・円形穴
１３ａ  ・・・・・・・・・拡径部
１４    ・・・・・・・・・テーパー部
１５    ・・・・・・・・・大径部
１６    ・・・・・・・・・小径
２１    ・・・・・・・・・コンパクトディスクプレーヤー
ｃ      ・・・・・・・・・オイル
ｇ      ・・・・・・・・・車体
ｉ      ・・・・・・・・・凹部
ｊ      ・・・・・・・・・フィン
ｋ      ・・・・・・・・・拡張部
ｌ      ・・・・・・・・・径大部
【図１】
2004301296.tif 000005
【図２】
2004301296.tif 000006
【図３】
2004301296.tif 000007
【図４】
2004301296.tif 000008
【図５】
2004301296.tif 000009
【図６】
2004301296.tif 000010
【図７】
2004301296.tif 000011
【図８】
2004301296.tif 000012
【図９】
2004301296.tif 000013
【図１０】
2004301296.tif 000014
【図１１】
2004301296.tif 000015